(57)【要約】      （修正有）【課題】折りたたみが可能で、包装作業、および持ち運びが容易で、商品および商品標識等の優れた展示効果を備えた、包装兼展示用紙箱を提供する。【解決手段】紙製箱外箱の正面板に透明フィルムまたはシートからなる透視窓を有する。折り目線に沿って折り曲げるだけで簡単に製箱することが可能であり、包装する際には、内箱に外箱をかぶせ、差込み片を切込みに差し込んで固定する。また、内箱と外箱を組み合わせたときに、内箱と外箱に設けられた孔が重なることで把手が形成される。【選択図】図１
0003162404.tif 000002
【実用新案登録請求の範囲】
【請求項１】
折り目線に沿って折り曲げるだけで簡単に製箱することが可能であり、展示効果を高めるために開口部を広くすることとで、商品の収納作業の容易性を高め、包装する際には、内箱に外箱をかぶせ、差込み片を切込みに差し込む構造になっており、包装作業が容易で、内箱と外箱を組み合わせたときに把手が形成され、持ち運びも容易な、紙製箱外箱の正面板に透明フィルムまたはシートからなる透視窓を有し、包装した状態でも収容物品を目視で確認することが可能で、外箱に開いた孔により、内箱と外箱を組み合わせたときに、内箱の正面板に施した商号、商品標識、収容物品の図形などの印刷が強調されるように構成された展示効果の高い包装兼展示用箱。
【考案の詳細な説明】
【技術分野】
【０００１】  本考案は、外箱と内箱を組み合わせて使用する、展示効果の高い包装兼展示観賞用の紙箱に関するものである。
【背景技術】
【０００２】  従来、この種の包装兼展示用箱は、いろいろな形状、構造の組み立て式などの箱が広く用いられており、形状やデザインの面白さで展示効果を高めているものが提示されている（特許文献１参照）。また、鉢植え草花用に特化した包装箱で、透視窓を有するなど、一定の展示効果を備えたものなども提示されている（特許文献２参照）。
【先行技術文献】
【特許文献】
【０００３】
【特許文献１】  実公平７−４４５８４
【特許文献２】  実開昭６３−１７７２２４
【考案の概要】
【考案が解決しようとする課題】
【０００４】  折りたたみが可能で、廃棄時の処理、処分が容易な紙性であり、製箱作業、商品の収納作業、包装作業、および持ち運びの容易性に加え、商品および商品標識等の優れた展示効果を備えた、包装兼展示観賞用の紙箱が要請されている。
【課題を解決するための手段】
【０００５】  本考案は、図１に示すように、紙製箱外箱Ｂの正面板２１に透明フィルムまたはシートからなる透視窓２４を有し、包装した状態でも収容物品を目視で確認することが可能で、さらに、図１および図２に示すように、外箱に開いた孔２３ｃにより、内箱Ａと外箱Ｂを組み合わせたときに、内箱Ａの正面板１に施した商号、商品標識、収容物品の図形などの印刷が強調されるように構成された、展示効果の高い包装兼展示用の紙箱を提供するものである。【０００６】  また本考案は、糊代片３ｂ、２３ｂをそれぞれ側面板２、２２にあらかじめ接着しておくことで、折り目線に沿って折り曲げるだけで簡単に製箱することが可能であり、図３に示すように、展示効果を高めるために開口部を広くすることとで、商品の収納作業の容易性も高めている。図１のように包装する際には、内箱Ａに外箱Ｂをかぶせて、差込み片２１ｂを切込み１ｂに差し込む構造になっており、包装作業も容易になっている。また、内箱Ａと外箱Ｂを組み合わせたときに、孔３ｃと孔２１ｃまたは孔２３ｃが重なり、把手が形成され、持ち運びが容易になる。
【考案の効果】
【０００７】  本考案による包装兼展示用箱は、包装時には透視窓を通して収容物品を目視で確認することができ、外箱に開いた孔により内箱に印刷した商品標識等を効果的に表示することができ、把手が付いていることで持ち運びしやすく、製箱作業、商品の収納作業、包装作業も容易な、販売時の包装用と展示用、家庭内での展示観賞用に利用できる、持ち運びや開封の容易性および展示効果に優れた、包装兼展示用の紙箱を提供できるものである。
【図面の簡単な説明】
【０００８】
【図１】  本考案の１実施例を示す斜視図である
【図２】  本考案の他の実施例を示す斜視図である。
【図３】  本考案の内箱の斜視図である。
【図４】  本考案の外箱の斜視図である。
【図５】  本考案の内箱の展開図である。
【図６】  本考案の外箱の展開図である。
【考案を実施するための形態】
【０００９】  包装箱として実施する場合は、内箱Ａの嵌合孔７に収容物品を収納し、図１のように、外箱Ｂをかぶせる。外箱Ｂの差込片２１ｂを内箱Ａの切込み１ｂに挿入することで固定される。また、展示台として実施する場合は、図２のように、外箱Ｂの上蓋板側を底面として、そこに内箱Ａを挿入する。
【実施例】
【００１０】  以下、添付図面に従って実施例を説明する。【００１１】  本考案の包装兼展示用箱は、図３に示した内箱Ａおよび図４に示した外箱Ｂからなる。内箱Ａおよび外箱Ｂの本体は段ボール等の紙製であり、外箱Ｂには、正面板２１に透明フィルムまたはシートからなる透視窓２４が設けられている。【００１２】  図１は、本考案の包装箱としての実施例を示した斜視図で、内箱Ａに外箱Ｂをかぶせた状態である。内箱Ａと外箱Ｂは、切込み１ｂに差込み片２１ｂを挿入することによって固定され、包装、開封ともに容易である。また、透視窓２４を通して内部の収容物品を目視で確認することができ、展示用の用途としても利用できる。この状態で、外箱Ｂの孔２１ｃより内箱Ａの正面板１の一部が露出する。また、この露出部は、後述の展示台としての実施例でも外箱Ｂの孔２３ｃより露出し、どちらの実施例においても外箱Ｂが額縁と同様な役割を果たし、商号、商品標識、収容物品の図形等を印刷する印刷面として、効果的に利用することができるようになっている。また、内箱Ａの孔３ｃと、外箱Ｂの孔２３ｃが重なっており、持ち運び用の把手として利用することができる。この孔は収容物品が生花等の場合には、空気孔としても作用するようになっている。【００１３】  図２は、本考案の展示台としての実施例を示した斜視図で、外箱Ｂの上蓋板を底面とし、そこに内箱Ａを挿入した状態である。この状態では、内箱Ａの孔３ｃと外箱Ｂの孔２３ｃが重なっており、図１の実施例のときと同様に、持ち運び用の把手として利用することができるようになっている。また前述のように、外箱Ｂの孔２１ｃより内箱Ａの正面板１の一部が露出する。【００１４】  内箱Ａの内底板４は、折り目線８のみを折り曲げる場合と、折り目線８および折り目線９をともに折り曲げる場合とで、高さを二段階に調節することができるようになっている。
【符号の説明】
【００１５】１，２１                  正面板
１ａ，２ａ，３ａ          底面板
１ｂ                      切込み
２，２２                  側面板
３，２３                  背面板
３ｂ，２３ｂ              糊代片
３ｃ，２１ｃ，２３ｃ      孔
４                        内底板
５，６，２１ｂ            差込片
７                        嵌合孔
８，９                    折り目線
２１ａ，２２ａ，２３ａ    上蓋板
２４                      透視窓
【図１】
0003162404.tif 000003
【図２】
0003162404.tif 000004
【図３】
0003162404.tif 000005
【図４】
0003162404.tif 000006
【図５】
0003162404.tif 000007
【図６】
0003162404.tif 000008